(57)【要約】【課題】  再生が停止され、その後に再生が再開された場合に、再生が停止された位置から速やかに再生する圧縮データ再生装置を提供することを目的とする。【解決手段】  圧縮データを伸張してファイルを再生する再生部３と、再生部３が再生動作を停止する場合、再生部３の再生動作が停止されるデータ位置を示す位置情報を検出する位置情報検出部４と、位置情報検出部４が検出した位置情報を保持する位置情報記録部５と、ディスク解析を行うディスク解析部２とを具備し、位置情報記録部５が前記位置情報を保持していない状態においては、ディスク解析部２がディスク解析を行った後に再生部３が再生動作を開始し、位置情報記録部５が位置情報を保持している状態においては、位置情報が示すデータ位置から再生部２が再生動作を開始し、再生部３の再生動作が行われている期間内に、ディスク解析部２がディスク解析を行うことを特徴としている。【選択図】  図１
2005085337.tif 000002
【特許請求の範囲】
【請求項１】
入力されたＲＦ信号から圧縮データを生成し、この圧縮データを伸張してファイルを再生する再生手段と、
前記再生手段が再生動作を停止する場合、前記再生動作が停止されるデータ位置を示す位置情報を検出する位置情報検出手段と、
前記位置情報検出手段が検出した位置情報を保持する位置情報記録手段と、
ディスク解析を行うディスク解析手段とを具備し、
前記位置情報記録手段が前記位置情報を保持していない第１の状態においては、前記ディスク解析手段がディスク解析を行った後に前記再生手段が再生動作を開始し、
前記位置情報記録手段が前記位置情報を保持している第２の状態においては、前記位置情報が示すデータ位置から前記再生手段がファイルの再生動作を開始し、
前記第２の状態においては、前記位置情報が示すデータ位置から前記再生手段がファイルの再生動作を開始してから、この再生動作が開始されたファイルの再生動作を前記再生手段が終了するまでの期間内に、前記ディスク解析手段がディスク解析を行うことを特徴とする圧縮データ再生装置。
【請求項２】
前記位置情報がＭＳＦ値であることを特徴とする請求項１記載の圧縮データ再生装置。
【請求項３】
入力されたＲＦ信号から圧縮データを生成し、この圧縮データを伸張して、複数のファイルを所定の順序で再生する再生手段と、
前記再生手段が再生動作を停止する場合、前記再生動作が停止されるデータ位置を示す第１の位置情報を検出する第１の位置情報検出手段と、
前記再生手段が再生動作を停止する場合、前記再生動作が停止されるファイルの次に前記所定の順序において再生されるＮ個（Ｎは自然数）のファイルの各々の先頭のデータ位置を示す第２の位置情報を検出する第２の位置情報検出手段と、
前記第１および第２の位置情報検出手段が検出した前記第１および第２の位置情報を保持する位置情報記録手段と、
ディスク解析を行うディスク解析手段とを具備し、
前記位置情報記録手段が前記第１および第２の位置情報を保持していない第１の状態においては、前記ディスク解析手段がディスク解析を行った後に前記再生手段が再生動作を開始し、
前記位置情報記録手段が前記第１および第２の位置情報を保持している第２の状態においては、前記第１の位置情報が示すデータ位置から前記再生手段がファイルの再生動作を開始し、この再生動作が開始されたファイルの再生動作が終了した後に、前記再生動作が開始されたファイルの次に前記所定の順序において再生される前記Ｎ個のファイルを前記再生手段が前記所定の順序で再生し、
前記第２の状態においては、前記第１の位置情報が示すデータ位置から前記再生手段がファイルの再生動作を開始してから、前記再生動作が開始されたファイルの次に前記所定の順序において再生される前記Ｎ個のファイルの再生動作を前記再生手段が終了するまでの期間内に、前記ディスク解析手段がディスク解析を行うことを特徴とする圧縮データ再生装置。
【請求項４】
前記第１および第２の位置情報がＭＳＦ値であることを特徴とする請求項３記載の圧縮データ再生装置。
【請求項５】
前記位置情報記録手段が不揮発性のＲＡＭを有することを特徴とする請求項１乃至４のいずれか１項記載の圧縮データ再生装置。
【請求項６】
位置情報が示すデータ位置からファイルの再生動作を開始する再生ステップと、
前記再生ステップにおいて前記データ位置からファイルの再生動作を開始してから、この再生動作が開始されたファイルの再生動作を終了するまでの期間内に、ディスク解析を行うディスク解析ステップとを具備することを特徴とする圧縮データ再生方法。
【請求項７】
位置情報が示すデータ位置からファイルの再生動作を開始し、この再生動
作が開始されたファイルの再生動作が終了した後に、前記再生動作が開始されたファイルの次に所定の順序において再生されるＮ個（Ｎは自然数）のファイルの再生動作を前記所定の順序で行う再生ステップと、
前記再生ステップにおいて前記位置情報が示すデータ位置からファイルの再生動作を開始してから、前記再生動作が開始されたファイルの次に前記所定の順序において再生される前記Ｎ個のファイルの再生動作を終了するまでの期間内に、ディスク解析を行うディスク解析ステップとを具備することを特徴とする圧縮データ再生方法。
【請求項８】
前記位置情報がＭＳＦ値であることを特徴とする請求項６または７のいずれか１項記載の圧縮データ再生方法。
【発明の詳細な説明】
【技術分野】
【０００１】
本発明は、圧縮データ再生装置および圧縮データ再生方法に関し、特に、ＣＤ（Compact Disc）などの光ディスクに記録された圧縮データを再生する圧縮データ再生装置および圧縮データ再生方法に関するものである。
【背景技術】
【０００２】
音声等の圧縮データを記録する光ディスクには、ＣＤ−ＲＯＭ、ＣＤ−Ｒ、ＣＤ−ＲＷ、Ｖｉｄｅｏ−ＣＤなどがある。これらは、記録された情報に対してランダムアクセスが可能であるという特徴を有するものの、テープ記録媒体とは異なり、再生が停止されると再生停止時の位置情報が失われてしまう。
【０００３】
このため、ＣＤなどに記録された圧縮データを再生する圧縮データ再生装置には、前回に再生を停止した位置から再生を再開するレジューム機能が備えられているものがある（例えば、特許文献１参照）。
【０００４】
従来の圧縮データ再生装置の動作手順について図８および図９を参照しながら説明する。図８および図９は、従来の圧縮データ再生装置の動作手順を示すフローチャートである。図８は、再生を停止する場合（スタンバイ状態移行時）の動作手順を示し、図９は、図８に示された動作手順により再生が停止された後に再生を再開する場合（レジューム動作時）の動作手順を示している。
【０００５】
まず、従来の圧縮データ再生装置のスタンバイ状態移行時の動作手順について図８を参照しながら説明する。
【０００６】
最初に、ＣＤがディスクテーブル上に装填される（Ｓ１０１）。そして、次に、ＣＤのディスク解析を行う（Ｓ１０２）。このディスク解析によりディスク解析データが得られる。圧縮データはディレクトリ／ファイル構造を形成してＣＤに記録されている。ディスク解析データとは、このディレクトリ／ファイル構造のディレクトリ情報やファイル情報などである。
【０００７】
次に、再生するファイルの先頭アドレスから、その先頭アドレスに対応するＭＳＦ値を計算する（Ｓ１０３）。そして、このＭＳＦ値を用いてファイルの再生が開始される（Ｓ１０４）。ここで、ＭＳＦ値とは、ＣＤの信号記録面上でデータが記録された位置を示す位置情報である。このＭＳＦ値は「分、秒、フレーム」という時間を単位としている。
【０００８】
次に、スタンバイ状態に移行するか否かを判断する（Ｓ１０５）。スタンバイ状態に移行しないと判断された場合は、ステップＳ１０４に戻って、再生を継続して行う。一方、スタンバイ状態に移行すると判断された場合は、その判断時に再生されているデータのアドレスを検出し、そのアドレスを保持する（Ｓ１０６）。ここで、アドレスとは、ディレクトリ／ファイル構造におけるデータ位置を示す位置情報である。そして、このアドレスの検出後、スタンバイ状態に移行するためのスタンバイ処理が行われ、ＣＤの再生が停止される（Ｓ１０７）。
【０００９】
次に、従来の圧縮データ再生装置のレジューム動作時の動作手順について図９を参照しながら説明する。
【００１０】
まず、ＣＤのディスク解析を行う（Ｓ２０１）。次に、得られたディスク解析データを
参照し、ステップＳ１０６において保持されたアドレスに対応するＭＳＦ値を算出する（Ｓ２０２）。そして、このＭＳＦ値に対応したデータ位置からＣＤの再生を再開する（Ｓ２０３）。
【００１１】
次に、再生を終了するか否かを判断する（Ｓ２０４）。再生を終了しないと判断された場合は、ステップＳ２０３に戻って、再生を継続して行う。一方、再生を終了すると判断された場合は、再生の終了処理を行う（Ｓ２０５）。
【００１２】
以上に説明した従来の圧縮データ再生装置は、スタンバイ状態移行時に再生していたデータのアドレスを保持しておくことで、レジューム機能を実現している。
【特許文献１】特開２００２−２４５７０９号公報（第２頁、図３）
【発明の開示】
【発明が解決しようとする課題】
【００１３】
しかしながら、上記従来の圧縮データ再生装置では、スタンバイ状態移行時に再生していたデータのデータ位置を示す位置情報にアドレスを用いている。アドレスは、ＣＤの信号記録面上でデータが記録された位置を直接に示すものではない。よって、アドレスを用いて前回に再生していたデータから再生を再開する場合には、再生に先立ってディスク解析を行い、得られたディスク解析データからアドレスに対応したＭＳＦ値を算出しなければならない。
【００１４】
このため、従来の圧縮データ再生装置は、ディスク解析に要する時間分、レジューム動作を行う指示を出してから再生が開始されるまでに時間がかかるという問題があった。
【００１５】
本発明は、以上の背景からなされたもので、再生が停止され、その後に再生が再開された場合に、再生が停止された位置から速やかに再生する圧縮データ再生装置および圧縮データ再生方法を提供することを目的とする。
【課題を解決するための手段】
【００１６】
上記目的を達成するために、本発明に係る圧縮データ再生装置は、入力されたＲＦ信号から圧縮データを生成し、この圧縮データを伸張してファイルを再生する再生手段と、前記再生手段が再生動作を停止する場合、前記再生動作が停止されるデータ位置を示す位置情報を検出する位置情報検出手段と、前記位置情報検出手段が検出した位置情報を保持する位置情報記録手段と、ディスク解析を行うディスク解析手段とを具備し、前記位置情報記録手段が前記位置情報を保持していない第１の状態においては、前記ディスク解析手段がディスク解析を行った後に前記再生手段が再生動作を開始し、前記位置情報記録手段が前記位置情報を保持している第２の状態においては、前記位置情報が示すデータ位置から前記再生手段がファイルの再生動作を開始し、前記第２の状態においては、前記位置情報が示すデータ位置から前記再生手段がファイルの再生動作を開始してから、この再生動作が開始されたファイルの再生動作を前記再生手段が終了するまでの期間内に、前記ディスク解析手段がディスク解析を行うことを特徴としている。
【００１７】
また、本発明に係る圧縮データ再生装置は、入力されたＲＦ信号から圧縮データを生成し、この圧縮データを伸張して、複数のファイルを所定の順序で再生する再生手段と、前記再生手段が再生動作を停止する場合、前記再生動作が停止されるデータ位置を示す第１の位置情報を検出する第１の位置情報検出手段と、前記再生手段が再生動作を停止する場合、前記再生動作が停止されるファイルの次に前記所定の順序において再生されるＮ個（Ｎは自然数）のファイルの各々の先頭のデータ位置を示す第２の位置情報を検出する第２の位置情報検出手段と、前記第１および第２の位置情報検出手段が検出した前記第１およ
び第２の位置情報を保持する位置情報記録手段と、ディスク解析を行うディスク解析手段とを具備し、前記位置情報記録手段が前記第１および第２の位置情報を保持していない第１の状態においては、前記ディスク解析手段がディスク解析を行った後に前記再生手段が再生動作を開始し、前記位置情報記録手段が前記第１および第２の位置情報を保持している第２の状態においては、前記第１の位置情報が示すデータ位置から前記再生手段がファイルの再生動作を開始し、この再生動作が開始されたファイルの再生動作が終了した後に、前記再生動作が開始されたファイルの次に前記所定の順序において再生される前記Ｎ個のファイルを前記再生手段が前記所定の順序で再生し、前記第２の状態においては、前記第１の位置情報が示すデータ位置から前記再生手段がファイルの再生動作を開始してから、前記再生動作が開始されたファイルの次に前記所定の順序において再生される前記Ｎ個のファイルの再生動作を前記再生手段が終了するまでの期間内に、前記ディスク解析手段がディスク解析を行うことを特徴としている。
【００１８】
更に、本発明に係る圧縮データ再生方法は、位置情報が示すデータ位置からファイルの再生動作を開始する再生ステップと、前記再生ステップにおいて前記データ位置からファイルの再生動作を開始してから、この再生動作が開始されたファイルの再生動作を終了するまでの期間内に、ディスク解析を行うディスク解析ステップとを具備することを特徴としている。
【００１９】
更に、本発明に係る圧縮データ再生方法は、位置情報が示すデータ位置からファイルの再生動作を開始し、この再生動作が開始されたファイルの再生動作が終了した後に、前記再生動作が開始されたファイルの次に所定の順序において再生されるＮ個（Ｎは自然数）のファイルの再生動作を前記所定の順序で行う再生ステップと、前記再生ステップにおいて前記位置情報が示すデータ位置からファイルの再生動作を開始してから、前記再生動作が開始されたファイルの次に前記所定の順序において再生される前記Ｎ個のファイルの再生動作を終了するまでの期間内に、ディスク解析を行うディスク解析ステップとを具備することを特徴としている。
【発明の効果】
【００２０】
本発明によれば、再生が停止され、その後に再生が再開された場合に、再生が停止された位置から速やかに再生する圧縮データ再生装置および圧縮データ再生方法を提供することができる。
【発明を実施するための最良の形態】
【００２１】
（第１の実施例）
以下に、本発明に係る圧縮データ再生装置および圧縮データ再生方法についての第１の実施例を図１乃至４を参照しながら説明する。
【００２２】
まず、本実施例に係る圧縮データ再生装置の構成の概略について図１を参照しながら説明する。図１は、本実施例に係る圧縮データ再生装置の構成を示す概略図である。
【００２３】
読み取り部１は、ＣＤなどの光ディスクに記録された情報をＲＦ信号として読み出す。このＲＦ信号はディスク解析部２および再生部３に出力される。
【００２４】
ディスク解析部２は、入力されたＲＦ信号を用いてディスク解析を行う。そして、このディスク解析により、ディスク解析データが得られる。ディスク解析データとは、光ディスクに記録されたファイルシステムのディレクトリ情報やファイル情報などであり、具体的には、ファイルごとのバイト数やアドレスなどである。
【００２５】
再生部３は、入力されたＲＦ信号から圧縮データを生成し、この圧縮データを伸張して
ファイルを再生する。この再生部３の再生動作は、通常再生処理時には、ディスク解析部２のディスク解析により得られたディスク解析データを用いて行われる。
【００２６】
再生部３の再生動作が停止される場合（スタンバイ状態移行時）には、位置情報検出部４が、再生部３の再生動作が停止されるデータ位置を示す位置情報を検出する。そして、位置情報記録部５が、位置情報検出部４が検出した位置情報を保持する。
【００２７】
再生部３の再生動作が開始される場合には、位置情報記録部５が位置情報を保持しているか否かによって異なった動作を行う。位置情報記録部５が位置情報を保持していない状態で再生部３が再生動作を開始する場合は、ディスク解析部２がディスク解析を行った後に再生部３が再生動作を開始する。一方、位置情報記録部５が位置情報を保持した状態で再生部３が再生動作を開始する場合（レジューム動作時）は、位置情報記録部５に保持された位置情報が示すデータ位置から読み取り部１が光ディスクに記録された情報を読み取り、この位置情報が示すデータ位置から再生部３がファイルの再生動作を開始する。また、位置情報が示すデータ位置から再生部３がファイルの再生動作を開始してから、この再生動作が開始されたファイルの再生動作を再生部３が終了するまでの期間内に、ディスク解析部２がディスク解析を行う。
【００２８】
次に、本実施例に係る圧縮データ再生装置の具体的な構成例について図２を参照しながら説明する。図２は、本実施例に係る圧縮データ再生装置の構成を示すブロック図である。なお、ここでは、圧縮データとして複数曲の演奏ファイルデータを例に挙げて説明する。また、データ圧縮規格としてオーディオデータ圧縮規格の一つであるＭＰ3（MPEG1/2 Audio Layer3）を例に挙げて説明する。更に、位置情報としてＭＳＦ値を例に挙げて説明する。
【００２９】
ＣＤ６には、複数曲の演奏ファイルデータがＭＰ3のデータ圧縮規格に従って圧縮されて記録されている。
【００３０】
ＣＤサーボ７は、スピンドルモータ８、スライドモータ９、および、光ピックアップ１０が所定の動作を行うように制御する。スピンドルモータ８はＣＤ６を回転させる。スライドモータ９は、光ピックアップ１０がＣＤ６の読み込みに追随できるように、光ピックアップ１０をＣＤ６の径方向に移動させる。光ピックアップ１０は、ＣＤ６の信号記録面にレーザ光を集光して照射し、その反射光を受光してＲＦ信号をヘッドアンプ１１に出力する。
【００３１】
ヘッドアンプ１１は、光ピックアップ１０が検出したＲＦ信号を増幅し、ＣＤサーボ７に出力する。このＣＤサーボ７に入力されたＲＦ信号は、ＣＤサーボ７によりデジタル信号化された後にＥＦＭ（Eight to Fourteen Modulation）復調されることで、圧縮データであるＭＰ3データに変換される。このＭＰ3データはＲＡＭ１２に出力される。
【００３２】
ＲＡＭ１２は、ＤＳＰ１３とともに１つの半導体集積回路内に混載されたメモリである。ＤＳＰ１３は、再生時には、ＲＡＭ１２に保持されたＭＰ3データを読み出し、読み出されたＭＰ3データをデータ伸張してデジタルオーディオデータを生成する。この生成されたデジタルオーディデータはＲＡＭ１２を介してＤＡＣ１４（デジタルアナログ変換器）に出力される。
【００３３】
ＤＡＣ１４は、ＤＳＰ１３からデジタルオーディオデータが入力され、このデジタルオーディオデータをアナログオーディオ信号にＤ／Ａ変換する。そして、このアナログオーディオ信号をアンプ１５で増幅してスピーカ１６に供給することで、ＣＤ６に記録された演奏ファイルデータが再生される。
【００３４】
ＭＣＵ１７は、ＣＤサーボ７、ＲＡＭ１２およびＤＳＰ１３の制御を行う。また、ＭＣＵ１７にはＲＡＭ１８が接続されており、ＭＣＵ１７がＲＡＭ１８にリード／ライト処理を行えるようになっている。ＲＡＭ１８は、不揮発性のメモリであり、電源がＯＦＦとなっても書き込まれたデータを記憶しておくことができる。このＲＡＭ１８としては、例えば、フラッシュメモリ、ＭＲＡＭ（Magnetic Random Access Memory）、強誘電体メモリ、相変化メモリなどが挙げられる。
【００３５】
次に、図２に示された本実施例に係る圧縮データ再生装置の動作手順について図３および図４を参照しながら説明する。図３および図４は、本実施例に係る圧縮データ再生装置の動作手順を示すフローチャートである。図３は、再生を停止する場合（スタンバイ状態移行時）の動作手順を示し、図４は、図３に示された動作手順により再生が停止された後に再生を再開する場合（レジューム動作時）の動作手順を示している。
【００３６】
まず、本実施例に係る圧縮データ再生装置のスタンバイ状態移行時の動作手順について図３を参照しながら説明する。
【００３７】
最初に、ＣＤ６がスピンドルモータ８により駆動されるディスクテーブル上に装填される（Ｓ１１）。
【００３８】
次に、ＣＤ６のディスク解析を以下に示すように行う（Ｓ１２）。まず、ＣＤ６の信号記録面の最内周にあるリードインエリアに光ピックアップ１０を移動させ、このリードインエリアに記録されたＴＯＣ（Table Of Contents）データを読み込む。ＴＯＣデータとは、各トラックの先頭アドレスをＭＳＦ（Min Sec Frame）値により示したものであり、ＭＳＦ値とは、ＣＤ６の信号記録面上でデータが記録された位置を示す位置情報である。このＭＳＦ値は「分、秒、フレーム」という時間を単位としている。次に、リードインエリアの外周側に続いて記録されているボリュームディスクリプタおよびパステーブルに光ピックアップ１０を移動させてデータの読み込みを行う。この読み込まれたデータはＣＤサーボ７を介してＤＳＰ１３に入力され、ＤＳＰ１３がデータの解析を行う。このデータ解析により、ディスク解析データが得られる。このディスク解析データはＲＡＭ１２に保持される。
【００３９】
次に、再生する演奏ファイルの先頭アドレスから、その先頭アドレスに対応するＭＳＦ値を計算する（Ｓ１３）。そして、このＭＳＦ値に対応した位置に光ピックアップ１０が移動され、再生する演奏ファイルの先頭から再生が開始される（Ｓ１４）。この再生時には、ＭＰ3データがＣＤサーボ７からＲＡＭ１２を介してＤＳＰ１３に入力され、ＤＳＰ１３がＭＰ3データを伸張してデジタルオーディオデータを生成する。そして、このデジタルオーディオデータがＤＡＣ１４によりアナログオーディオ信号に変換される。
【００４０】
次に、スタンバイ状態に移行するか否かを判断する（Ｓ１５）。スタンバイ状態に移行しないと判断された場合は、ステップＳ１４に戻って、再生を継続して行う。一方、スタンバイ状態に移行すると判断された場合は、その判断時にＣＤ６から読み込まれたデータのＭＳＦ値をＣＤサーボ７により検出する。このＭＳＦ値はＭＣＵ１７を介してＲＡＭ１８に保持される（Ｓ１６）。つまり、スタンバイ状態に移行すると判断された場合には、その判断時に再生しているデータのＭＳＦ値がＲＡＭ１８に保持される。
【００４１】
次に、スタンバイ状態に移行するためのスタンバイ処理を開始する（Ｓ１７）。ステップＳ１７においては、ＣＤサーボ７、ＲＡＭ１２、１８、ＤＳＰ１３、ＭＣＵ１７などの電源をＯＦＦとする。このスタンバイ処理により、演奏ファイルの再生がＲＡＭ１８に保持されたＭＳＦ値が示すデータ位置で中断される。
【００４２】
引き続いて、本実施例に係る圧縮データ再生装置のレジューム動作時の動作手順について図４を参照しながら説明する。
【００４３】
再生の再開が指示されると、ステップＳ１６においてＲＡＭ１８に保持されたＭＳＦ値をＲＡＭ１８から読み出す（Ｓ２１）。そして、この読み出されたＭＳＦ値に対応した位置に光ピックアップ１０を移動させ、スタンバイ状態移行時に再生が中断された演奏ファイルをＭＳＦ値が示すデータ位置から再生する（Ｓ２２）。
【００４４】
また、このステップＳ２２における再生処理動作の実行期間内に、ＣＤ６のディスク解析を行う（Ｓ２３）。この再生処理（Ｓ２２）とディスク解析処理（Ｓ２３）とを並行して処理する方法としては、以下のような方法が考えられる。まず、ＲＡＭ１８に保持されたＭＳＦ値が示すデータ位置からデータの読み込みを行い、読み込まれたＭＰ3データをＤＳＰ１３により伸張することで、一定量のデジタルオーディオデータをＲＡＭ１２に蓄積させる。そして、このＲＡＭ１２に保持されたデジタルオーディオデータがデータストリームの順に従ってＤＡＣ１４に出力される間に、ボリュームディスクリプタおよびパステーブルの読み込みを行い、読み込まれたデータの解析をＤＳＰ１３により行うことでディスク解析を行う。これにより、スピーカ１６から出力される音声を途切れさせることなく、再生処理（Ｓ２２）と並行してディスク解析処理（Ｓ２３）を行うことができる。
【００４５】
次に、ステップＳ２３で得られたディスク解析データを用いて、通常の再生処理を行う（Ｓ２４）。このステップＳ２４においては、次に再生する演奏ファイルの先頭アドレスに対応するＭＳＦ値をディスク解析データを用いて算出する。そして、この算出されたＭＳＦ値に対応した位置に光ピックアップ１０を移動させ、次の演奏ファイルの再生を開始する。
【００４６】
次に、再生を終了するか否かを判断する（Ｓ２５）。再生を終了しないと判断された場合は、ステップＳ２４に戻り、再生を継続して行う。一方、再生を終了すると判断された場合は、再生の終了処理を行う（Ｓ２６）。
【００４７】
以上に説明した本実施例に係る圧縮データ再生装置は、スタンバイ状態移行時に、再生停止時に再生していたデータのＭＳＦ値をＲＡＭ１８に保持し、レジューム動作時に、ＣＤ６のディスク解析を行うとともに、ＲＡＭ１８に保持していたＭＳＦ値が示すデータ位置から再生を行っている。このため、本実施例に係る圧縮データ再生装置は、レジューム動作時に、ディスク解析の終了を待つことなく、速やかに再生することができる。
【００４８】
また、本実施例に係る圧縮データ再生装置は、データの位置情報にＭＳＦ値を用いている。ＭＳＦ値の情報量は３バイトのみであるため、位置情報にＭＳＦ値を用いることで、位置情報を保持するためにＲＡＭ１８にかかる負担を軽減することができる。
【００４９】
更に、本実施例に係る圧縮データ再生装置は、ＲＡＭ１８を不揮発性のメモリとしている。このため、スタンバイ時にＲＡＭ１８の電源をＯＦＦとすることで、ＲＡＭ１８に保持されたＭＳＦ値の情報を失うことなく、ＲＡＭ１８が消費する待機電力を削除することができる。また、本実施例に係る圧縮データ再生装置は、ＭＳＦ値をＲＡＭ１２ではなくＲＡＭ１８に保持し、スタンバイ時にＤＳＰ１３の電源をＯＦＦとしている。このため、ＤＳＰ１３が消費する待機電力を削減することができる。
【００５０】
なお、本実施例においては、ＣＤ６に記録された圧縮データのデータ圧縮規格としてＭＰ3を例に挙げて説明しているが、これに限られない。
【００５１】
また、本実施例においては、ＲＡＭ１８を不揮発性のメモリとしているが、ＲＡＭ１８を揮発性のメモリとしても構わない。ただし、この場合は、スタンバイ時にＭＳＦ値を保持しておくために、スタンバイ時においてＲＡＭ１８の電源をＯＮとする必要がある。
【００５２】
更に、本実施例においては、ＤＳＰ１３によりディスク解析を行っているが、これに限られない。例えば、ＭＣＵ１７によりディスク解析を行っても構わない。
【００５３】
更に、本実施例においては、レジューム時に再生が再開されるデータ位置を示すＭＳＦ値をスタンバイ状態移行時にＣＤ６から読み込まれたデータのＭＳＦ値としているが、このＭＳＦ値は、これに限られない。例えば、スタンバイ状態移行時にＤＳＰ１３によりデータ伸張されたデータのＭＳＦ値を検出し、このＭＳＦ値をＲＡＭ１８に保持する。これにより、レジューム時に再生が再開されるデータ位置を示すＭＳＦ値をスタンバイ状態移行時にＤＳＰ１３によりデータ伸張されたデータのＭＳＦ値とすることができる。
【００５４】
更に、本実施例においては、スタンバイ状態移行時にＣＤ６から読み込まれたデータのＭＳＦ値をＲＡＭ１８に保持しているが、このＭＳＦ値を保持するメモリはＲＡＭ１８に限られない。例えば、ＲＡＭ１２によりＭＳＦ値を保持することも可能である。
【００５５】
更に、本実施例においては、位置情報をＭＳＦ値としているが、位置情報はＭＳＦ値に限られない。位置情報をＭＳＦ値以外とした場合であっても、その位置情報のみからＣＤ６の信号記録面上でデータが記録された位置が直接に導き出せる場合、位置情報をＭＳＦ値とした場合と同様の効果を得ることができる。
【００５６】
更に、本実施例においては、位置情報が示すデータ位置からファイルの再生動作を開始してから、この再生動作が開始されたファイルの再生動作が終了するまでの期間内に、ディスク解析が終了する場合を示しているが、再生動作が開始されたファイルの再生動作が終了するまでの期間内に、ディスク解析は終了しなくても良い。再生動作が開始されたファイルの再生動作が終了するまでの期間内に、ディスク解析が終了しない場合においても、ディスク解析に要する時間を短縮することができ、レジューム時に速やかに再生することができる。
（第２の実施例）
以下に、本発明に係る圧縮データ再生装置および圧縮データ再生方法についての第２の実施例を図５乃至７を参照しながら説明する。
【００５７】
まず、本実施例に係る圧縮データ再生装置の構成の概略について図５を参照しながら説明する。図５は、本実施例に係る圧縮データ再生装置の構成を示す概略図である。なお、第１の実施例において図１を参照して説明したものと共通する部分については、図１と同一符号を付し、その説明を省略する。
【００５８】
再生部３は、入力されたＲＦ信号から圧縮データを生成し、この圧縮データを伸張して、複数のファイルを所定の順序で再生する。
【００５９】
再生部３の再生動作が停止される場合（スタンバイ状態移行時）には、第１の位置情報検出部１９が、再生部３の再生動作が停止されるデータ位置を示す第１の位置情報を検出する。また、第２の位置情報検出部２０が、再生動作が停止されるファイルの次に所定の順序において再生されるＮ個（Ｎは自然数）のファイルの各々の先頭のデータ位置を示す第２の位置情報を検出する。この第２の位置情報検出部２０による第２の位置情報の検出は、ディスク解析データを用いて行われる。そして、位置情報記録部５が、この第１および第２の位置情報検出部１９、２０に検出された第１および第２の位置情報を保持する。
【００６０】
再生部３の再生動作が開始される場合には、位置情報記録部５が第１および第２の位置情報を保持しているか否かによって異なった動作を行う。位置情報記録部５が第１および第２の位置情報を保持していない状態で再生部３が再生動作を開始する場合は、ディスク解析部２がディスク解析を行った後に再生部３が再生動作を開始する。一方、位置情報記録部５が第１および第２の位置情報を保持した状態で再生部３が再生動作を開始する場合（レジューム動作時）は、まず、位置情報記録部５に保持された第１の位置情報が示すデータ位置から読み取り部１が光ディスクに記録された情報を読み取り、この第１の位置情報が示すデータ位置から再生部３がファイルの再生動作を開始する。そして、この再生動作が開始されたファイルの再生動作が終了した後には、再生動作が開始されたファイルの次に所定の順序において再生されるＮ個（Ｎは自然数）のファイルを再生部３が所定の順序で再生する。また、位置情報記録部５に保持された第１の位置情報が示すデータ位置から再生部３がファイルの再生動作を開始してから、再生動作が開始されたファイルの次に所定の順序において再生されるＮ個（Ｎは自然数）のファイルの再生動作を再生部３が終了するまでの期間内に、ディスク解析部２がディスク解析を行う。
【００６１】
なお、本実施例に係る圧縮データ再生装置の具体的な構成例は、第１の実施例において図２を用いて説明した圧縮データ再生装置の動作を変更したものである。この本実施例に係る圧縮データ再生装置の動作手順について図２、図６および図７を参照しながら説明する。図６および図７は、本実施例に係る圧縮データ再生装置の動作手順を示すフローチャートである。図６は、再生を停止する場合（スタンバイ状態移行時）の動作手順を示し、図７は、図６に示された動作手順により再生が停止された後に再生を再開する場合（レジューム動作時）の動作手順を示している。また、図６および図７においては、第２の位置情報を検出するファイルの数Ｎ（Ｎは自然数）が１個である場合を例に挙げて説明する。
【００６２】
まず、本実施例に係る圧縮データ再生装置のスタンバイ状態移行時の動作手順について図６を参照しながら説明する。なお、本実施例に係る圧縮データ再生装置のスタンバイ状態移行時の動作は、図３のステップＳ１６をステップＳ３６で置き換えたものであり、他のステップは図３と同一である。よって、ここでは、第１の実施例に係る圧縮データ再生装置のスタンバイ状態移行時の動作手順と共通するステップについては、その説明を省略する。
【００６３】
ステップＳ３５において、スタンバイ状態に移行すると判断された場合は、その判断時にＣＤ６から読み込まれたデータのＭＳＦ値（第１のＭＳＦ値）をＣＤサーボ７により検出する。また、ステップＳ３２で得られたディスク解析データを用いて、再生が停止される演奏ファイルの次の演奏ファイルの先頭に位置するデータのＭＳＦ値（第２のＭＳＦ値）をＭＣＵ１７により検出する。この第１および第２のＭＳＦ値は、ＭＣＵ１７を介してＲＡＭ１８に保持される（Ｓ３６）。そして、このステップＳ３６が終了した後にスタンバイ処理を行う（Ｓ３７）。このスタンバイ処理により、演奏ファイルの再生がＲＡＭ１８に保持された第１のＭＳＦ値が示すデータ位置で中断される。
【００６４】
次に、本実施例に係る圧縮データ再生装置のレジューム動作時の動作について図７を参照しながら説明する。
【００６５】
ステップＳ３６においてＲＡＭ１８に保持された第１のＭＳＦ値をＲＡＭ１８から読み出す（Ｓ４１）。そして、この読み出された第１のＭＳＦ値に対応した位置に光ピックアップを移動させ、スタンバイ状態移行時に再生が中断された演奏ファイルを第１のＭＳＦ値が示すデータ位置から再生する（Ｓ４２）。また、ディスク解析処理（Ｓ４３）が、ステップＳ４２における再生処理の開始と同時に、もしくは、ステップＳ４２における再生処理の開始以降に行われる。
【００６６】
次に、第２のＭＳＦ値をＲＡＭ１８から読み出す。そして、この読み出された第２のＭＳＦ値に対応した位置に光ピックアップを移動させ、次の演奏ファイルの再生を再開する（Ｓ４４）。また、ステップＳ４２における再生処理が終了するまでにディスク解析処理（Ｓ４３）が終了しない場合は、このステップＳ４４における再生処理の実行期間内に、ディスク解析処理（Ｓ４３）が行われる。
【００６７】
次に、ステップＳ４３で得られたディスク解析データを用いて通常の再生処理を行う（Ｓ４５）。具体的には、ディスク解析データを用いて、次に再生する演奏ファイルの先頭アドレスに対応するＭＳＦ値を算出し、この算出されたＭＳＦ値に対応した位置に光ピックアップを移動させ、次の演奏ファイルの再生を開始する。
【００６８】
次に、再生を終了するか否かを判断する（Ｓ４６）。再生を終了しないと判断された場合は、ステップＳ４５に戻り、再生を継続して行う。一方、再生を終了すると判断された場合は、再生の終了処理を行う（Ｓ４７）。
【００６９】
スタンバイ状態移行時の再生位置が演奏ファイルの末尾に近い場合、ディスク解析が終了する前に、スタンバイ状態移行時に再生が中断されたファイルの再生が終了してしまい、ディスク解析が終了するまで次のファイルの再生を行えない可能性がある。しかしながら、以上に説明した本実施例に係る圧縮データ再生装置は、スタンバイ状態移行時に、現在再生しているデータのＭＳＦ値だけでなく、次に再生されるＮ個（Ｎは自然数）のファイルの各々の先頭アドレスに対応するＭＳＦ値も保持している。このため、本実施例に係る圧縮データ再生装置は、ディスク解析が終了する前に、スタンバイ状態移行時に再生が中断されたファイルの再生が終了してしまった場合においても、ディスク解析の終了を待つことなく、次のファイルの再生を行うことができる。
【００７０】
また、本実施例に係る圧縮データ再生装置は、他の効果においても、第１の実施例と同様の効果を得ることできる。
【００７１】
なお、本実施例の図６および図７を参照した説明においては、第２の位置情報を検出するファイルの数Ｎ（Ｎは自然数）が１個である場合を例に挙げて説明しているが、これに限られない。
【００７２】
また、本実施例においては、データ圧縮規格としてＭＰ3を例に挙げて説明しているが、第１の実施例同様、これに限られない。
【００７３】
また、本実施例においては、ＲＡＭ１８を不揮発性のメモリとしているが、第１の実施例同様、ＲＡＭ１８を揮発性のメモリとしても構わない。
【００７４】
更に、本実施例においては、ＤＳＰ１３を用いてディスク解析を行っているが、第１の実施例同様、これに限られない。
【００７５】
更に、本実施例においては、レジューム時に再生が再開されるデータ位置を示すＭＳＦ値をスタンバイ状態移行時にＣＤ６から読み込まれたデータのＭＳＦ値としているが、第１の実施例同様、このＭＳＦ値は、これに限られない。
【００７６】
更に、本実施例においては、スタンバイ状態移行時にＣＤ６から読み込まれたデータのＭＳＦ値をＲＡＭ１８に保持しているが、第１の実施例同様、このＭＳＦ値を保持するメモリはＲＡＭ１８に限られない。
【００７７】
更に、本実施例においては、位置情報をＭＳＦ値としているが、第１の実施例同様、位
置情報はＭＳＦ値に限られない。
【００７８】
更に、本実施例においては、位置情報が示すデータ位置からファイルの再生動作を開始してから、この再生動作が開始されたファイルの次に所定の順序において再生されるＮ個のファイルの再生動作が終了するまでの期間内に、ディスク解析が終了する場合を示しているが、このＮ個のファイルの再生動作が終了するまでの期間内に、ディスク解析は終了しなくても良い。Ｎ個のファイルの再生動作が終了するまでの期間内に、ディスク解析が終了しない場合においても、ディスク解析に要する時間を短縮することができ、レジューム時に速やかに再生することができる。
【００７９】
本発明は、実施段階ではその要旨を変更しない範囲で種々に変形することが可能である。
【００８０】
以上、詳述したように、本発明に係る圧縮データ再生装置の特徴をまとめると以下の通りになる。
【００８１】
本発明に係る圧縮データ再生装置は、入力されたＲＦ信号から圧縮データを生成し、この圧縮データを伸張してファイルを再生する再生手段と、前記再生手段が再生動作を停止する場合、前記再生動作が停止されるデータ位置を示す位置情報を検出する位置情報検出手段と、前記位置情報検出手段が検出した位置情報を保持する位置情報記録手段と、ディスク解析を行うディスク解析手段とを具備し、前記位置情報記録手段が前記位置情報を保持していない第１の状態においては、前記ディスク解析手段がディスク解析を行った後に前記再生手段が再生動作を開始し、前記位置情報記録手段が前記位置情報を保持している第２の状態においては、前記位置情報が示すデータ位置から前記再生手段がファイルの再生動作を開始し、前記第２の状態においては、前記位置情報が示すデータ位置から前記再生手段がファイルの再生動作を開始してから、この再生動作が開始されたファイルの再生動作を前記再生手段が終了するまでの期間内に、前記ディスク解析手段がディスク解析を行うことを特徴としている。
【００８２】
また、本発明に係る圧縮データ再生装置は、前記位置情報がＭＳＦ値であることを特徴としている。
【００８３】
更に、本発明に係る圧縮データ再生装置は、入力されたＲＦ信号から圧縮データを生成し、この圧縮データを伸張して、複数のファイルを所定の順序で再生する再生手段と、前記再生手段が再生動作を停止する場合、前記再生動作が停止されるデータ位置を示す第１の位置情報を検出する第１の位置情報検出手段と、前記再生手段が再生動作を停止する場合、前記再生動作が停止されるファイルの次に前記所定の順序において再生されるＮ個（Ｎは自然数）のファイルの各々の先頭のデータ位置を示す第２の位置情報を検出する第２の位置情報検出手段と、前記第１および第２の位置情報検出手段が検出した前記第１および第２の位置情報を保持する位置情報記録手段と、ディスク解析を行うディスク解析手段とを具備し、前記位置情報記録手段が前記第１および第２の位置情報を保持していない第１の状態においては、前記ディスク解析手段がディスク解析を行った後に前記再生手段が再生動作を開始し、前記位置情報記録手段が前記第１および第２の位置情報を保持している第２の状態においては、前記第１の位置情報が示すデータ位置から前記再生手段がファイルの再生動作を開始し、この再生動作が開始されたファイルの再生動作が終了した後に、前記再生動作が開始されたファイルの次に前記所定の順序において再生される前記Ｎ個のファイルを前記再生手段が前記所定の順序で再生し、前記第２の状態においては、前記第１の位置情報が示すデータ位置から前記再生手段がファイルの再生動作を開始してから、前記再生動作が開始されたファイルの次に前記所定の順序において再生される前記Ｎ個のファイルの再生動作を前記再生手段が終了するまでの期間内に、前記ディスク解析手段
がディスク解析を行うことを特徴としている。
【００８４】
更に、本発明に係る圧縮データ再生装置は、前記第１および第２の位置情報がＭＳＦ値であることを特徴としている。
【００８５】
更に、本発明に係る圧縮データ再生装置は、前記位置情報記録手段が不揮発性のＲＡＭを有することを特徴としている。
【００８６】
更に、本発明に係る圧縮データ再生方法は、位置情報が示すデータ位置からファイルの再生動作を開始する再生ステップと、前記再生ステップにおいて前記データ位置からファイルの再生動作を開始してから、この再生動作が開始されたファイルの再生動作を終了するまでの期間内に、ディスク解析を行うディスク解析ステップとを具備することを特徴としている。
【００８７】
更に、本発明に係る圧縮データ再生方法は、位置情報が示すデータ位置からファイルの再生動作を開始し、この再生動作が開始されたファイルの再生動作が終了した後に、前記再生動作が開始されたファイルの次に所定の順序において再生されるＮ個（Ｎは自然数）のファイルの再生動作を前記所定の順序で行う再生ステップと、前記再生ステップにおいて前記位置情報が示すデータ位置からファイルの再生動作を開始してから、前記再生動作が開始されたファイルの次に前記所定の順序において再生される前記Ｎ個のファイルの再生動作を終了するまでの期間内に、ディスク解析を行うディスク解析ステップとを具備することを特徴としている。
【００８８】
更に、本発明に係る圧縮データ再生方法は、前記位置情報がＭＳＦ値であることを特徴としている。
【図面の簡単な説明】
【００８９】
【図１】本発明の第１の実施例に係る圧縮データ再生装置の構成を示す概略図。
【図２】本発明の第１の実施例に係る圧縮データ再生装置の構成を示すブロック図。
【図３】本発明の第１の実施例に係る圧縮データ再生装置のスタンバイ状態移行時の動作手順を示すフローチャート。
【図４】本発明の第１の実施例に係る圧縮データ再生装置のレジューム動作時の動作手順を示すフローチャート。
【図５】本発明の第２の実施例に係る圧縮データ再生装置の構成を示す概略図。
【図６】本発明の第２の実施例に係る圧縮データ再生装置のスタンバイ状態移行時の動作手順を示すフローチャート。
【図７】本発明の第２の実施例に係る圧縮データ再生装置のレジューム動作時の動作手順を示すフローチャート。
【図８】従来の圧縮データ再生装置のスタンバイ状態移行時の動作手順を示すフローチャート。
【図９】従来の圧縮データ再生装置のレジューム動作時の動作手順を示すフローチャート。
【符号の説明】
【００９０】
１…読み取り部
２…ディスク解析部
３…再生部
４…位置情報検出部
５…位置情報記録部
６…ＣＤ
７…ＣＤサーボ
８…スピンドルモータ
９…スライドモータ
１０…光ピックアップ
１１…ヘッドアンプ
１２、１８…ＲＡＭ
１３…ＤＳＰ
１４…ＤＡＣ
１５…ＡＭＰ
１６…スピーカ
１７…ＭＣＵ
１９…第１の位置情報検出部
２０…第２の位置情報検出部
【図１】
2005085337.tif 000003
【図２】
2005085337.tif 000004
【図３】
2005085337.tif 000005
【図４】
2005085337.tif 000006
【図５】
2005085337.tif 000007
【図６】
2005085337.tif 000008
【図７】
2005085337.tif 000009
【図８】
2005085337.tif 000010
【図９】
2005085337.tif 000011